(57)【要約】【課題】表示装置の各種機能を実行する際の操作性の向上を図る。【解決手段】スクリーンＳＣに画像を表示する投射ユニット３と、スクリーンＳＣにおける指示体７０の指示位置を検出する位置検出ユニット１５０と、スクリーンＳＣにおける画像の表示領域の外側に複数の操作領域が設定され、位置検出部１５１により検出された指示位置が操作領域内である場合に、操作領域に対応付けられた操作に関する機能を実行する制御部１０３と、を備えた。【選択図】図２
2014120022.tif 000002
【特許請求の範囲】
【請求項１】
表示面に画像を表示する表示手段と、
前記表示面における操作位置を検出する検出手段と、
前記表示面における画像の表示領域の外側に複数の操作領域が設定され、前記検出手段により検出された前記操作位置が前記操作領域内である場合に、当該操作領域に対応付けられた操作に関する機能を実行する制御手段と、を備えた、
ことを特徴とする表示装置。
【請求項２】
請求項１に記載の表示装置であって、
外部の装置を含む複数の画像供給部から供給された画像データを、前記表示手段により前記表示面に設けられた複数の前記表示領域のそれぞれに表示させる表示制御手段を備え、複数の前記操作領域は、各々の前記表示領域に対応付けられたことを特徴とする表示装置。
【請求項３】
請求項１または２に記載の表示装置であって、
前記検出手段により、複数の前記操作領域にまたがる操作が検出された場合に、当該複数の操作領域にまたがる操作に対応付けられた機能を実行することを特徴とする表示装置。
【請求項４】
請求項１から３のいずれかに記載の表示装置であって、
前記表示領域を含む範囲を撮影する撮像手段を備え、前記検出手段は、前記撮像手段の撮影画像に基づいて前記操作位置を検出し、前記操作領域は、前記撮像手段の撮影可能領域内に設定されたことを特徴とする表示装置。
【請求項５】
請求項１から４のいずれかに記載の表示装置であって、
前記制御手段は、前記検出手段により前記操作領域に対する操作が検出された場合に、前記表示領域に表示されている画像を他の画像に切り替える切替機能、表示されている画像を静止させるフリーズ機能、画像の表示を停止するミュート機能、表示されている画像を拡大または縮小させるズーム機能、前記表示領域に表示されている画像の表示位置を変更する機能、および、前記検出手段により検出された操作位置を示す情報を前記表示装置内部で処理するモードと当該情報を外部に出力するモードとを切り替える機能のうち、少なくともいずれかを実行することを特徴とする表示装置。
【請求項６】
表示面に画像を表示する表示装置の制御方法であって、
前記表示面における操作位置を検出し、
前記表示面における画像の表示領域の外側に複数の操作領域が設定され、検出された前記操作位置が前記操作領域内である場合に、当該操作領域に対応付けられた操作に関する機能を実行すること
を特徴とする表示装置の制御方法。
【発明の詳細な説明】
【技術分野】
【０００１】
本発明は、表示面に画像を表示する表示装置、及び、表示装置の制御方法に関する。
【背景技術】
【０００２】
従来、プロジェクター等の表示装置が表示する画像の特定の位置が指示体により指示された場合に、指示位置を検出し、検出した位置に対応するようにポインター等を表示する装置が知られている（例えば、特許文献１参照）。この種の装置では、指示された位置を検出すると、例えば指示された位置に対応してポインターを表示し、指示位置の軌跡を示す画像を描画、表示したりして、表示面に表示された画像が制御される。
【先行技術文献】
【特許文献】
【０００３】
【特許文献１】特開２００４−２７２４３３号公報
【発明の概要】
【発明が解決しようとする課題】
【０００４】
しかしながら、表示装置を制御して、表示装置の各種機能を実行するためには、表示装置本体に設けられた操作ボタンや表示装置を遠隔操作するリモコン等を用いて行う必要があった。そのため、ユーザーは表示画像を制御する指示体と、表示装置を制御するリモコン等とを切り替えて使用する必要があり、操作性の向上が望まれていた。
本発明は、上述した従来の技術が有する課題を解消し、表示装置の各種機能を実行する際の操作性の向上を図ることを目的とする。
【課題を解決するための手段】
【０００５】
上記目的を達成するために、本発明は、表示面に画像を表示する表示手段と、前記表示面における操作位置を検出する検出手段と、前記表示面における画像の表示領域の外側に複数の操作領域が設定され、前記検出手段により検出された前記操作位置が前記操作領域内である場合に、当該操作領域に対応付けられた操作に関する機能を実行する制御手段と、を備えた、ことを特徴とする。
この構成によれば、表示面上の操作領域内での操作で、操作を行った操作領域に対応する表示装置の機能を操作することができ、表示装置の各種機能を実行する操作の操作性を向上することができる。
【０００６】
また、本発明は、上記表示装置において、外部の装置を含む複数の画像供給部から供給された画像データを、前記表示手段により前記表示面に設けられた複数の前記表示領域のそれぞれに表示させる表示制御手段を備え、複数の前記操作領域は、各々の前記表示領域に対応付けられたことを特徴とする。
この構成によれば、複数の画像供給部から供給された画像データを複数の表示領域に表示させる場合に、各画像に対する表示装置の各種機能を、表示面上の操作領域内での操作で実行させることができ、操作性の向上を図ることができる。
【０００７】
また、本発明は、上記表示装置において、前記検出手段により、複数の前記操作領域にまたがる操作が検出された場合に、当該複数の操作領域にまたがる操作に対応付けられた機能を実行することを特徴とする。
この構成によれば、複数の操作領域に跨がる操作により、表示装置が有する種々の機能を実行させることができる。このため、操作領域内での操作に対応付けて、より多彩な機能を実行させることができ、より一層の操作性の向上を図ることができる。
【０００８】
また、本発明は、上記表示装置において、前記表示領域を含む範囲を撮影する撮像手段を備え、前記検出手段は、前記撮像手段の撮影画像に基づいて前記操作位置を検出し、前記操作領域は、前記撮像手段の撮影可能領域内に設定されたことを特徴とする。
この構成によれば、表示されている画像に対する操作位置をより速やかに、かつ正確に検出できる。
【０００９】
また、本発明は、上記表示装置において、前記制御手段は、前記検出手段により前記操作領域に対する操作が検出された場合に、前記表示領域に表示されている画像を他の画像に切り替える切替機能、表示されている画像を静止させるフリーズ機能、画像の表示を停止するミュート機能、表示されている画像を拡大または縮小させるズーム機能、前記表示領域に表示されている画像の表示位置を変更する機能、および、前記検出手段により検出された操作位置を示す情報を前記表示装置内部で処理するモードと当該情報を外部に出力するモードとを切り替える機能のうち、少なくともいずれかを実行することを特徴とする。
この構成によれば、表示装置の操作パネルやリモコンを操作することなく、表示面上の操作領域に対する操作で、表示装置が有する種々の機能を操作することができ、操作性の向上を図ることができる。
【００１０】
また、上記目的を達成するために、本発明は、表示面に画像を表示する表示装置の制御方法であって、前記表示面における操作位置を検出し、前記表示面における画像の表示領域の外側に複数の操作領域が設定され、検出された前記操作位置が前記操作領域内である場合に、当該操作領域に対応付けられた操作に関する機能を実行することを特徴とする。
この構成によれば、表示面上の操作領域内での操作で、操作を行った操作領域に対応する表示装置の機能を操作することができ、表示装置の各種機能を実行する操作の操作性を向上することができる。
【発明の効果】
【００１１】
本発明によれば、表示面上の操作領域内での操作で、操作を行った操作領域に対応する表示装置の機能を操作することができ、表示装置の各種機能を実行する操作の操作性を向上することができる。
【図面の簡単な説明】
【００１２】
【図１】本発明の実施形態に係る表示システムの構成を示す図である。
【図２】表示システムを構成する各部の機能ブロック図である。
【図３】表示システムの動作を示すフローチャートである。
【図４】スクリーン上の操作領域の配置例と操作に対応して表示を制御する動作を説明する図であり、（Ａ）は表示切替機能に関する例を示し、（Ｂ）はソース切換機能に関する例を示し、（Ｃ）はズーム機能に関する例を示す。
【図５】スクリーン上の操作領域の配置例と操作に対応して表示を制御する動作を説明する図であり、（Ａ）は横スクロール機能に関する例を示し、（Ｂ）は縦スクロール機能に関する例を示し、（Ｃ）はミュート機能に関する例を示し、（Ｄ）はネットワーク接続待機機能に関する例を示し、（Ｅ）は操作ロック／解除機能に関する例を示す。
【発明を実施するための形態】
【００１３】
以下、図面を参照して本発明を適用した実施形態について説明する。
図１は、実施形態に係るプロジェクター１１を用いた表示システム１０の構成を示す図である。
表示装置としてのプロジェクター１１は、画像供給部としてのＰＣ（Personal Computer）１３に画像信号ケーブル等により有線接続されている。ＰＣ１３は、モニター１４４を有し、例えば、モニター１４４に表示中の画像と同じ画像の画像データをプロジェクター１１に出力する。
プロジェクター１１は、入力された画像データに基づいて、投射面（表示面）としてのスクリーンＳＣに表示画像を投射する。ＰＣ１３から入力される画像データは動画像（映像）データおよび静止画像データのいずれであってもよく、プロジェクター１１は入力される画像データに基づき動画像および静止画像のいずれも投射できる。また、プロジェクター１１は、画像データを伝送する画像信号ケーブル等とは別に、ＵＳＢケーブルやＬＡＮケーブル等の制御信号伝送用の通信回線によりＰＣ１３に接続され、この通信回線を介してＰＣ１３との間で制御データ等を送受信する。なお、制御信号伝送用の通信回線として無線通信回線を用いることも可能である。また、ＰＣ１３とプロジェクター１１とを接続する１本のケーブルに、画像データと、制御データとを重畳して伝送する構成としてもよい。
投射面（表示面）としては、壁面や床面に設置された幕または平板の他、壁面自体を使用してもよい。
図１に示すように、スクリーンＳＣ上において、プロジェクター１１が画像を投射可能な最大の範囲（領域）を表示可能領域５とする。
【００１４】
また、プロジェクター１１には、図示は省略するが、画像供給部として、複数のＰＣ１３の他に、ＤＶＤプレーヤーやビデオレコーダー等の画像供給装置を接続することもできる。また、プロジェクター１１は、画像供給部を内蔵している構成であってもよい。すなわち、プロジェクター１１が内蔵する回路により、プロジェクター１１が投射する画像データを生成する構成であってもよい。
プロジェクター１１は、表示可能領域５内に一つの表示領域を設けて一つの画像供給装置から入力された画像データに基づく画像を表示するシングル画面表示、および、複数の表示領域６（図４参照。以下、表示領域６Ａ、６Ｂという）を設けて、複数の画像供給装置から入力された画像データを、複数の表示領域６Ａ、６Ｂのそれぞれに表示させるマルチ画面表示を実行できる。
【００１５】
表示システム１０では、スクリーンＳＣ上で、指示体７０を用いて位置指示操作を行うことが可能である。指示体７０は、例えばペン型のデバイスであり、ユーザーは、指示体７０の軸部７１を手に持って、先端をスクリーンＳＣに押しつけるように使用する。指示体７０の先端には押圧操作を検出する操作スイッチ７２が設けられ、ユーザーが指示体７０の先端をスクリーンＳＣに押し付けた場合に、操作スイッチ７２がオンになる。
プロジェクター１１は、指示体７０の先端位置を指示位置７０Ａとして検出する機能を有する。プロジェクター１１は、検出した指示位置７０Ａの座標を示す制御データを、プロジェクター１１内部の回路により処理して、例えば検出した指示位置７０Ａの座標に基づいて画像を描画する等の処理を行うことができる。また、プロジェクター１１は、指示位置７０Ａの座標を示す制御データをＰＣ１３に出力することもできる。
また、プロジェクター１１は、ユーザーがスクリーンＳＣ上で指示体７０の先端をスクリーンＳＣに押しつける操作を行った場合に、ソース切替機能、フリーズ機能、ミュート機能、ズーム機能などの各種機能を実行する。この動作については後述する。
【００１６】
図２は、表示システム１０の機能的構成を示すブロック図である。
プロジェクター１１は、ＰＣ１３から入力される画像データに基づいて、スクリーンＳＣに画像を表示するための画像処理を実行する画像処理ユニット１１０と、画像処理ユニット１１０によって処理された画像をスクリーンＳＣに投射する投射ユニット（表示手段）３と、スクリーンＳＣ上の指示体７０の指示位置７０Ａを検出する位置検出ユニット（位置検出手段）１５０と、これらの各部を制御する制御部１０３と、を備えている。
制御部１０３は、図示しないＣＰＵ、不揮発性メモリー、ＲＡＭ等により構成され、制御部１０３に接続された記憶部１０５に記憶されている制御プログラム１０５Ａを読み出して実行し、プロジェクター１１の各部を制御する。また、制御部１０３は、記憶部１０５に記憶された制御プログラム１０５Ａを実行することで、位置検出ユニット１５０の撮影範囲（画角）すなわち撮影画像データにおける位置と、実投射領域１１Ｂ上の位置と、画像処理部１１３が描画した画像上の位置との対応関係を特定するキャリブレーションを実行する。制御部１０３Ａは、キャリブレーションにより特定された撮影画像上の位置と実投射領域１１Ｂ上の位置との対応関係に基づいて、座標算出部１５９が用いる座標変換パラメーターを求める。座標変換パラメーターには、画像処理部１１３が描画した画像上の座標と、撮影画像データ上で求められた座標とを対応づけるデータ等が含まれる。座標算出部１５９は、この座標変換パラメーターに基づいて、撮影画像データ上で求められた座標を画像処理部１１３が描画した画像上の座標に変換することができる。キャリブレーションは、基本的に、プロジェクター１１単体で行われ、プロジェクター１１は、座標変換パラメーターを取得して、マニュアル、または、オートで実投射領域の座標系と、撮影画像の座標系との対応付けを行う。プロジェクター１１は、座標算出の際には、取得した座標変換パラメーターに基づいて、撮影画像上の位置を実投射領域上の位置へと変換する。プロジェクター１１は、ＰＣ１３から入力された画像データ上の座標と、実投射領域上の座標との変換については、ＰＣ１３から入力された画像の解像度及び実投射領域上の表示位置の情報に基づいて行う。記憶部１０５は、磁気的、光学的記録装置または半導体記憶素子により構成され、制御プログラム１０５Ａを含む各種プログラム、及び、各種設定値等のデータを記憶する。
【００１７】
制御部１０３には、操作部としての操作パネル４１、及び、操作部としてのリモコンの操作を検出するリモコン受光部４５が接続されている。
操作パネル４１は、各種スイッチ及びインジケーターランプを備え、プロジェクター１１の外装筐体（図示略）に配置されている。操作パネル４１のスイッチが操作されると、操作されたスイッチに対応する操作信号が制御部１０３に出力される。
リモコン受光部４５は、プロジェクター１１を操作する操作者としてのユーザーが使用するリモコン（図示略）がボタン操作に対応して送信した赤外線信号を受光する。リモコン受光部４５は、上記リモコンから受光した赤外線信号を復調およびデコードし、リモコンにおける操作を示す操作信号を制御部１０３に出力する。
なお、プロジェクター１１の操作は、指示体７０、操作パネル４１およびリモコンの他、ＰＣ１３によっても実行できる。この場合、ＰＣ１３はプロジェクター１１を操作するための制御データを出力し、操作部として機能する。
制御部１０３は、操作パネル４１、リモコン受光部４５から入力される操作信号に基づいて、ユーザーの操作を検出し、この操作に従ってプロジェクター１１を制御する。
【００１８】
投射部３０は、照明光学系３１、光変調装置３２（光変調手段）、及び投射光学系３３を備えて構成される。照明光学系３１は、キセノンランプ、超高圧水銀ランプ、ＬＥＤ（Light Emitting Diode）等からなる光源を備える。また、照明光学系３１は、光源が発した光を光変調装置３２に導くリフレクター及び補助リフレクター、投射光の光学特性を高めるためのレンズ群（図示略）、偏光板、或いは光源が発した光を減光させる調光素子等を備えていてもよい。
光変調装置３２は、照明光学系３１からの光を変調して画像光を形成する。本実施形態では、透過型液晶パネルを用いて光変調装置３２を構成した場合を例に挙げる。この構成では、光変調装置３２はＲＧＢの三原色に対応した３枚の液晶パネルを有し、照明光学系３１が発した光はＲＧＢの３色の色光に分離され、各色光が対応する各液晶パネルに入射する。各液晶パネルを通過して変調された色光はクロスダイクロイックプリズム等の合成光学系によって合成され、投射光学系３３に射出される。
【００１９】
投射光学系３３は、投射する画像の拡大・縮小および焦点の調整を行うレンズまたはレンズ群と、レンズを駆動してズームの度合いを調整するズーム調整用モーターおよびフォーカスの調整を行うフォーカス調整用モーター等を備える。
投射ユニット３は、投射部３０とともに、投射光学系駆動部１２１、光変調装置駆動部１１９、及び、光源駆動部１１７を備えている。投射光学系駆動部１２１は、画像処理ユニット１１０の表示制御部１０７の制御に従って投射光学系３３が備える各モーターを駆動する。光変調装置駆動部１１９は、表示制御部１０７から出力される画像信号に基づいて光変調装置３２を駆動して描画を行う。光源駆動部１１７は、制御部１０３の制御に従って照明光学系３１が備える光源を駆動する。
【００２０】
画像処理ユニット１１０は、ＰＣ１３に接続される画像入力部１０４を備えている。画像入力部１０４は、ＰＣ１３を含む各種画像供給装置が画像データを入力するインターフェイスであり、例えば、ＤＶＩインターフェイス、ＵＳＢインターフェイス、ＬＡＮインターフェイス、ＨＤＭＩ（登録商標）インターフェイス等の汎用インターフェイスを用いることができる。また、画像入力部１０４に、無線通信を利用して画像データを入力してもよい。また、画像入力部１０４が、アナログ映像信号をデジタル画像データに変換するＡ／Ｄ変換回路と、ＶＧＡ端子等のアナログ映像信号入力端子を備えていてもよい。また、画像入力部１０４がDisplayPort（商標）インターフェイスを備えていてもよく、この場合、プロジェクター１１は、ＰＣ１３や、ＰＣ１３と同等の機能を有する携帯型デバイスが備えるDisplayPortに接続することができる。
画像処理ユニット１１０は、画像入力部１０４を介して入力された画像データを処理する表示制御部１０７、および、表示制御部１０７の制御に従って画像をフレームメモリー１１５に展開し、投射部３０が投射する画像を生成する画像処理部１１３を備えている。画像処理部１１３は、プロジェクター１１が内蔵する画像供給部として機能する。
【００２１】
表示制御部１０７は、画像入力部１０４を介して入力される画像データのフォーマット（フレームレート、解像度、圧縮状態）の判別等を行い、光変調装置３２に表示画像を表示するために必要な処理を決定し、画像処理部１１３を制御して当該処理を実行する。ここで実行される処理は、例えば、フレームレート変換、インターレース／プログレッシブ変換、解像度変換、圧縮された画像データの伸張処理、立体画像データのフォーマット変換等である。画像処理部１１３は、表示制御部１０７の制御に従って、画像入力部１０４に入力された画像データをフレームメモリー１１５に展開し、上述したような各種処理を実行する。画像処理部１１３はフレームメモリー１１５に描画した処理後の画像に基づいて、この画像を表示するための所定フォーマットの画像信号を生成し、表示制御部１０７に出力する。表示制御部１０７は、画像処理部１１３が生成した画像信号を光変調装置駆動部１１９に出力する。
また、画像処理部１１３は、表示制御部１０７の制御に従って、キーストーン補正、カラーモードに対応した色調補正、画像の拡大／縮小処理等の各種の画像処理を実行することも可能である。すなわち、制御部１０３が、操作パネル４１またはリモコン受光部４５から入力された操作信号に基づいて、表示制御部１０７に対し、キーストーン補正の実行、表示画像の拡大／縮小処理を実行させる。表示制御部１０７は、キーストーン補正や表示画像の拡大／縮小処理に必要な各種パラメーターを算出し、画像処理部１１３を制御して、キーストーン補正や表示画像の拡大／縮小処理を実行する。
【００２２】
ユーザーが操作する指示体７０は、上述した操作スイッチ７２と、操作スイッチ７２の操作状態（オン／オフ）を示す信号を出力する送信部７４とを備える。送信部７４は、例えば、ＩｒＤＡ規格に準拠した方式により操作スイッチ７２のオン／オフを示す赤外線信号を送信する。
指示体７０による指示位置は、上述のように位置検出ユニット１５０により検出される。なお、位置検出ユニット１５０は、１種類の指示体７０を検出する構成であっても良いし、或いは、複数種類の指示体７０、例えば、ペン型の操作デバイスおよびユーザーの指等、をいずれも検出できる構成であっても良い。位置検出ユニット１５０が複数種類の指示体７０を検出できる場合には、位置検出ユニット１５０は、指示体７０の種類を検出できる構成であっても良い。
位置検出ユニット１５０は、送信部７４が送信する信号に基づいて操作スイッチ７２の操作状態を検出する。また、位置検出ユニット１５０は、指示体７０の先端がスクリーンＳＣに接触しているか否かを検出して、指示体７０による位置指示操作を検出する構成であっても良い。
【００２３】
位置検出ユニット１５０による指示体７０の検出は、種々の手法を採用可能である。例えば、指示体７０が不図示の発光部を有し、指示体７０の先端がスクリーンＳＣに接触した際に、当該発光部が発光する構成であっても良い。そして、位置検出ユニット１５０は、指示体７０の発光部の発光位置を後述する撮像部１５３の撮影画像データ上で解析して、指示体７０の指示位置７０Ａの座標を算出する構成であっても良い。この構成によれば、指示体７０の指示位置７０Ａ及び指示体７０のスクリーンＳＣへの接触／非接触の検出が可能となる。なお、指示体７０の発光部が射出する光は、可視光である構成でも良いし、或いは、赤外光等の非可視光である構成でも良い。指示体７０の発光部が非可視光を射出する場合には、撮像部１５３の前に赤外光だけを通す可視光カットフィルターを設ける構成であっても良い。
また、指示体７０は、先端がスクリーンＳＣに接触した際に発光部が発光する構成の他に、先端がスクリーンＳＣに接触している時と、接触していない時とで、発光部の明滅（発光／非発光）パターンを変える構成であっても良い。この構成によれば、指示体７０の指示位置７０Ａ及び指示体７０のスクリーンＳＣへの接触／非接触の検出が可能となる。また、この構成によれば、指示体７０の先端がスクリーンＳＣに接触していない状態で、指示体７０がスクリーンＳＣ上を移動する指示体７０のホバリング状態を検出することも可能となる。
【００２４】
位置検出ユニット１５０は、撮像部１５３、撮影制御部１５５、受信部１５４、及び、位置検出処理部１５７を有する位置検出部１５１と、位置検出部１５１が検出した指示位置７０Ａの座標を算出する座標算出部１５９と、を備えている。
撮像部１５３は、投射光学系３３が画像光を投射する方向を撮影するようにプロジェクター１１に搭載されたデジタルカメラである。撮像部１５３が撮影する画角は、スクリーンＳＣ上の表示可能領域５を含む撮像領域７となっている。撮像部１５３は、撮影制御部１５５の制御に従って撮影を実行し、撮影画像データを出力する。撮影制御部１５５は、制御部１０３の制御に従って、撮像部１５３を制御して撮影を実行させる。撮像部１５３が撮影時のズーム倍率、フォーカス、絞りの調整を行う機構を有する場合、撮影制御部１５５は、これらの機構を制御して予め設定された条件で撮影を実行させる。撮影後、撮影制御部１５５は撮像部１５３が出力する撮影画像データを取得して、位置検出処理部１５７に出力する。撮像部１５３から出力される撮影画像データは、ＲＧＢやＹＵＶ等の形式で表されるものであっても良く、輝度成分のみを表すものであってもよい。撮像部１５３が可視光以外の光（例えば赤外光）を撮影する構成であってもよい。また、撮影制御部１５５は、撮像部１５３から出力される撮影画像データをそのまま位置検出処理部１５７へ出力してもよく、解像度の調整や所定のファイルフォーマット（ＪＰＥＧ、ＢＭＰなど）への変換等を行った上で位置検出処理部１５７へ出力してもよい。
【００２５】
受信部１５４は、指示体７０の送信部７４が送信した無線信号を受信して、操作スイッチ７２の操作状態を検出して、検出結果を示すデータを位置検出処理部１５７に出力する。位置検出処理部１５７は、撮像部１５３の撮影画像データに基づいて指示体７０の指示位置７０Ａを検出し、受信部１５４から入力されるデータに基づいて操作スイッチ７２の操作状態を取得する。
なお、撮像部１５３が赤外光を受光して撮影を行い、送信部７４が赤外線信号を送信する構成とされた場合には、送信部７４が送信した赤外線信号を、撮影画像データに基づいて位置検出処理部１５７が検出することにより、受信部１５４を省略することができる。
【００２６】
位置検出処理部１５７は、撮影制御部１５５から入力される撮影画像データを解析することにより、指示体７０の先端の位置、すなわち指示位置７０Ａを検出する。本実施形態では、撮影制御部１５５の制御により撮像部１５３が所定時間毎に撮影を実行し、位置検出処理部１５７は、撮影制御部１５５から所定時間毎に入力される撮影画像データに基づいて指示位置７０Ａを検出し、操作スイッチ７２のオン操作を検出したときの指示位置７０Ａを、操作スイッチ７２の操作時の指示位置７０Ａとして確定する。
座標算出部１５９は、位置検出処理部１５７が検出した指示位置７０Ａの座標を算出する。座標算出部１５９が算出する座標は、指示位置７０Ａの撮影画像データにおける座標であり、スクリーンＳＣの表示画像上に仮想的に設けられた座標軸における座標である。撮影画像データにおける座標は、プロジェクター１１とスクリーンＳＣとの距離、投射光学系３３におけるズーム率、プロジェクター１１の設置角度、撮像部１５３とスクリーンＳＣとの距離等の様々な要素の影響を受ける。一方、撮像部１５３の画角と投射光学系３３の投射範囲との位置関係、撮像部１５３の撮影倍率、投射光学系３３におけるズーム率等は既知であるため、座標算出部１５９は、撮影画像データとスクリーンＳＣに表示された表示可能領域５との対応関係を算出できる。この処理により、座標算出部１５９は、スクリーンＳＣの表示画像における指示位置７０Ａの座標を算出して、座標データを出力する。また、座標算出部１５９は、位置検出処理部１５７が操作スイッチ７２のオン操作を検出したときの指示位置７０Ａの座標データには、操作スイッチ７２がオンであることを示すデータを付加して出力する。
【００２７】
座標算出部１５９が出力する座標データは座標変換部１６０に入力される。座標変換部１６０は、制御部１０３の制御に従って座標データの変換を行う。座標データをＰＣ１３に出力する場合、座標変換部１６０は、座標算出部１５９から入力された座標データを、ＰＣ１３が画像入力部１０４に入力する画像データのフレームにおける座標を示す座標データに変換する。この変換処理は、ＰＣ１３が画像入力部１０４に入力する画像データの解像度や、画像処理部１１３により画像データに対して行った処理に基づいて実行される。また、座標データを画像処理ユニット１１０に出力する場合、座標変換部１６０は、座標算出部１５９から入力された座標データを、画像処理部１１３が描画する画像のフレームにおける座標を示す座標データへ変換する。つまり、座標変換部１６０は、外部接続された画像供給部であるＰＣ１３、および、プロジェクター１１が内蔵する画像供給部である画像処理ユニット１１０に対応する座標への変換を行うことが可能であり、座標データの出力先の画像供給部に対応する座標に変換する。
座標変換部１６０が座標を変換する処理において必要な情報としては、例えば、画像処理部１１３が描画する画像の画像データの解像度、アスペクト比、光変調装置３２の液晶表示パネルにおける表示サイズ、光変調装置３２の液晶表示パネルにおいて画像が描画される位置等の情報がある。これらの情報は、制御部１０３の制御または座標変換部１６０の要求により、画像処理部１１３から座標変換部１６０に出力される。
座標変換部１６０は、画像処理ユニット１１０に対応して座標を変換した場合、変換後の座標データを画像処理部１１３に出力する。また、座標変換部１６０は、ＰＣ１３に対応して座標を変換した場合、変換後の座標データを出力部１０１に出力する。つまり、変換処理の際に制御部１０３により指定された画像供給部に対して、変換後の座標データを出力する。
【００２８】
出力部１０１は、座標変換部１６０が出力した変換後の座標データをＰＣ１３に出力するインターフェイスであり、例えば、ＵＳＢインターフェイス、ＬＡＮインターフェイス、ＩＥＥＥ１３９４等の汎用インターフェイスで構成され、有線通信、及び、無線通信のどちらであってもよい。ここで、画像入力部１０４と出力部１０１とを統合し、物理的に一つのインターフェイス（例えば、ＵＳＢインターフェイス）で出力部１０１と画像入力部１０４との両方の機能を実現してもよい。出力部１０１には複数のＰＣ１３が接続され、出力部１０１は、制御部１０３の制御により一つ以上のＰＣ１３を選択して、座標データを出力する。通常、出力部１０１は、画像入力部１０４に対して画像データを供給しているＰＣ１３を選択する。画像データを供給しているＰＣ１３が複数存在する場合、出力部１０１は、制御部１０３の制御に従って、これらＰＣ１３の中から一つ以上のＰＣ１３を出力先として選択する。
出力部１０１がＰＣ１３に出力する座標データは、各ＰＣ１３において、マウス、トラックボール、デジタイザー、或いはペンタブレット等のポインティングデバイスが出力する座標データと同様のデータとして入力される。
また、出力部１０１が、画像処理ユニット１１０が備える画像処理部１１３に接続され、座標変換部１６０が出力した変換後の座標データを画像処理ユニット１１０に出力してもよい。
【００２９】
ＰＣ１３において、出力部１０１から出力される座標データを汎用的なポインティングデバイスが出力する座標データと同等に扱う場合、これらの汎用的なポインティングデバイスに対応した汎用のデバイスドライバープログラムを利用できる。このような汎用のデバイスドライバープログラムは、通常、ＰＣ１３のＯＳ（オペレーティングシステム）の一部として予めインストールされているため、デバイスドライバープログラムのインストールを行うことなく利用できる。
このように汎用のデバイスドライバープログラムを利用する場合、専用のデバイスドライバープログラムが必要ないという利点があるが、プロジェクター１１とＰＣ１３との間でやり取りできる情報は、汎用のデバイスドライバープログラムの仕様で定められた範囲に限定される。そこで、プロジェクター１１に対応した専用のデバイスドライバープログラムをＰＣ１３にインストールして、このデバイスドライバープログラムによって出力部１０１が出力する座標データを処理してもよい。この場合、プロジェクター１１とＰＣとの間でやり取りできる情報は、専用のデバイスドライバープログラムの仕様に応じて任意に設定することができる。
【００３０】
ＰＣ１３は、出力部１０１から入力された座標データに基づいて、例えば線や図形を描画し、描画した線や図形を、プロジェクター１１に出力中の画像に重ねて新たな画像データを生成し、この画像データをプロジェクター１１に出力する。
画像処理部１１３は、座標変換部１６０または出力部１０１から入力される座標データに基づいて、フレームメモリー１１５に展開している表示用の画像に重ねて、例えば線や図形を描画し、描画後の画像を表示するための画像信号を生成して光変調装置駆動部１１９に出力する。
これにより、表示システム１０では、ユーザーが指示体７０の操作によって位置指示操作を行うことにより、操作した位置に対応して、スクリーンＳＣに表示中の画像に重ねて図形等が描画され、表示される。
【００３１】
次に、プロジェクター１１の動作について、図３〜図５を参照して説明する。
図３は、指示体７０によって、プロジェクター１１の機能を実行する操作が行われた際のプロジェクター１１の動作を示すフローチャートである。
位置検出処理部１５７は、指示体７０の操作スイッチ７２の操作状態がオンであることを検出すると（ステップＳ１）、撮影制御部１５５から入力された撮影画像データを解析して、指示体７０による指示位置７０Ａを確定し（ステップＳ２）、確定した指示位置７０Ａに関する情報を制御部１０３に出力する。
【００３２】
制御部１０３は、位置検出処理部１５７により確定された指示位置７０Ａが、画像が表示されている表示領域内であるか否かを判定する（ステップＳ３）。制御部１０３は、指示位置７０Ａが表示領域内であると判定した場合には（ステップＳ３：Ｙｅｓ）、位置検出処理部１５７により確定した指示位置７０Ａの座標を、上述したように座標算出部１５９及び座標変換部１６０の機能によりＰＣ１３の入力画像データに対応する座標に変換し、変換後の座標データを出力部１０１からＰＣ１３に出力して（ステップＳ４）、位置指示操作に対応する描画等の処理を実行させる。
一方、指示位置７０Ａが表示領域外であると判定した場合（ステップＳ３：Ｎｏ）、制御部１０３は、指示位置７０Ａが、表示領域の外側に配置された操作領域内であるか否かを判定する（ステップＳ５）。制御部１０３は、指示位置７０Ａが操作領域内ではないと判定した場合には（ステップＳ５：Ｎｏ）、動作を終了する。また、制御部１０３は、指示位置７０Ａが操作領域内であると判定した場合（ステップ５：Ｙｅｓ）、指示位置７０Ａに重なる操作領域に対応づけて予め設定されたプロジェクター１１の機能を実行する（ステップＳ６）。
【００３３】
図４は、スクリーンＳＣ上の操作領域の配置例と操作に対応して表示を制御する動作を説明する図であり、（Ａ）は表示切替機能に関する例を示し、（Ｂ）はソース切換機能に関する例を示し、（Ｃ）はズーム機能に関する例を示す。
図４（Ａ）に示す例ではプロジェクター１１がシングル画面表示を実行しており、ＰＣ１３から入力される画像データに基づく画像が、表示可能領域５に配置された表示領域６に表示されている。上述のように、表示可能領域５は投射光学系３３により画像を表示可能な領域である。より詳細には、投射光学系３３が画像を表示可能な最大の領域、または、台形歪み補正や糸巻き型歪み補正を施した後の画像を表示可能な最大の領域である。表示可能領域５の大きさは投射光学系３３のズーム率、スクリーンＳＣから投射光学系３３までの距離、光変調装置３２の液晶パネルにおいて表示に使用できる領域等により変化するが、制御部１０３は、撮像部１５３の撮影画像データから画像を検出することにより、表示可能領域５を決定できる。
表示可能領域５には、画像を表示する表示領域６が配置される。図４（Ａ）の例では、スクリーンＳＣに一つの画像を表示するシングル画面表示の実行時には、一つの表示可能領域５が表示領域６に配置される。この図４（Ａ）には表示可能領域５の全体を表示領域６とした例を示す。また、複数のＰＣ１３から供給された画像データに基づく画像をスクリーンＳＣに並べて表示するマルチ画面表示を実行する場合には、図４（Ｂ）に示すように、表示領域６に複数の表示領域６Ａ、６Ｂが配置される。表示領域６Ａ、６Ｂのアスペクト比によっては、表示可能領域５に画像が表示されない非表示領域６Ｃが生じる。非表示領域６Ｃは、図４（Ｂ）に示すマルチ画面表示の実行時に限らず、シングル画面表示の実行時にも発生し得る。
【００３４】
表示可能領域５の周囲には、操作領域８０が配置されている。操作領域８０は、表示可能領域５の下方に配置された下縁操作領域８１Ａ、８１Ｂ、表示可能領域５の左右の側方に配置された側縁操作領域８２Ａ、８２Ｂ、表示可能領域５の上方に配置された上縁操作領域８４Ａ、８４Ｂ、表示領域６の隅部の外側に配置された下隅操作領域８３Ａ、８３Ｂおよび上隅操作領域８５Ａ、８５Ｂを含む。操作領域８０はスクリーンＳＣに実際に表示されるものではなく、制御部１０３により仮想的に設定されるものである。また、操作領域８０を構成する各操作領域は、互いに重複しないように、かつ、表示可能領域５と重ならないよう配置され、表示可能領域５と操作領域８０との境界は操作領域８０に含まれない。また、操作領域８０の全体は、プロジェクター１１が指示体７０の指示位置７０Ａを検出可能な範囲の内部、すなわち撮像部１５３の撮像領域７の内部にある。図４（Ａ）の例では撮像領域７の全体が操作領域８０および表示領域６となっている。
この図４（Ａ）の例では、撮像領域７の内部で指示体７０の位置指示操作が行われた場合、指示位置７０Ａは、表示可能領域５の上か、或いは、操作領域８０のいずれかに属する。なお、操作領域８０を構成する各操作領域が離れて配置されていてもよいし、表示可能領域５と操作領域８０との間が離れていてもよい。
また、上述のように非表示領域６Ｃが発生する場合、操作領域８０は非表示領域６Ｃよりも外側に配置される。この場合、ユーザーが操作領域８０と非表示領域６Ｃとの境界を認識しやすくなるように、非表示領域６Ｃに周縁部にガイド（例えば、直線や点）を表示してもよい。
【００３５】
操作領域８０の各操作領域には、それぞれ、プロジェクター１１の機能を割り当てることができる。指示位置７０Ａがいずれかの操作領域に属する場合、制御部１０３は、その操作領域に割り当てられた機能を実行する。
図４（Ａ）の例では、下縁操作領域８１Ａ、８１Ｂが、シングル画面表示とマルチ画面表示とを交互に切り替える表示切替機能に対応付けられている。シングル画面表示の実行時、下縁操作領域８１Ａ、８１Ｂのいずれかが指示体７０により操作されると、制御部１０３は表示状態をマルチ画面表示に切り替える。また、マルチ画面表示の実行中に下縁操作領域８１Ａ、８１Ｂが操作されると、シングル画面表示への切り替えが行われる。マルチ画面表示中は、下縁操作領域８１Ａは一方の表示領域６Ａに対応づけられ、下縁操作領域８１Ｂは他方の表示領域６Ｂに対応づけられる。このため、下縁操作領域８１Ａが操作されると、表示領域６Ａに表示中の画像がシングル画面表示される。同様に、下縁操作領域８１Ｂが操作されると、表示領域６Ｂに表示中の画像がシングル画面表示される。
このように、指示体７０により操作領域８０をタップ操作することで、シングル画面表示とマルチ画面表示とを交互に切り替えさせることができる。また、複数の表示領域に画像を表示するマルチ画面表示中に、操作領域８０を構成する複数の操作領域を、いずれかの表示領域に対応づけることができる。これにより、指示位置７０Ａが操作領域に重なる場合に、その操作領域に対応する表示領域が特定され、特定された表示領域に表示中の画像に対する機能が実行される。つまり、指示体７０による１回の操作によって、実行する機能を指定するだけでなく、当該機能の実行対象の画像を指定することができる。
【００３６】
また、図４（Ｂ）に示すように、操作領域を、プロジェクター１１に画像データを供給する画像供給装置を切替えるソース切り替え機能に対応付けることができる。この例では、下縁操作領域８１Ａ、８１Ｂにソース切り替え機能が割り当てられ、下縁操作領域８１Ｂに重なる位置で、指示体７０のフリック操作（指示体７０を横にスライドさせる操作）が行われた場合に、表示領域６Ｂに画像供給装置として画像データを供給しているＰＣ１３が、他のＰＣ１３に切り替えられる。例えば図２のＰＣ１３Ａが出力する画像データに基づく画像を表示領域６Ｂに表示している間に、下縁操作領域８１Ｂでフリック操作が行われると、ＰＣ１３Ｂが出力する画像データに基づく画像が表示領域６Ｂに表示される。
この例では、操作領域８０を構成する操作領域の各々が、複数の表示領域６Ａ、６Ｂに対応づけられている。例えば、下縁操作領域８１Ａは表示領域６Ａに対応し、下縁操作領域８１Ｂは表示領域６Ｂに対応する。他の操作領域を表示領域６Ａ、６Ｂに対応づけることも勿論可能である。
【００３７】
また、図４（Ｃ）に示すように、操作領域を、プロジェクター１１が表示する画像の拡大／縮小を行うズーム機能の操作に対応付けることができる。
この例では、下縁操作領域８１Ａ、８１Ｂにズーム機能が割り当てられている。ズーム機能は、拡大か縮小かを指定する操作、および、拡大率や縮小率を指定する操作等が必要になるが、この例では、指示体７０による操作態様により拡大か縮小かの別と拡大率／縮小率を指定できる。
操作態様の一例として、ここでは、２つの指示体７０、７０を用いた操作を例示する。２つの指示体７０で操作領域にタッチし、２つの指示体７０、７０を近づける（間隔を狭める）ように操作するとズーム機能により画像が縮小され、２つの指示体７０、７０を離す（間隔を拡げる）ように操作されるとズーム機能により画像が拡大される。縮小率、拡大率は、２つの指示体７０、７０間の距離の変化量に対応する。
【００３８】
図４（Ｃ）の例では、プロジェクター１１は、マルチ画面表示を行っており、下縁操作領域８１Ａは表示領域６Ａに対応し、下縁操作領域８１Ｂは表示領域６Ｂに対応する。下縁操作領域８１Ａが操作されると表示領域６Ａの画像のズーム機能が実行され、下縁操作領域８１Ｂが操作されると表示領域６Ｂの画像のズーム機能が実行される。さらに、下縁操作領域８１Ａと下縁操作領域８１Ｂにまたがる操作が行われると、表示領域６Ａの画像および表示領域６Ｂの画像の両方が拡大または縮小される。
図４（Ｃ）の例では、マルチ画面表示中に下縁操作領域８１Ａで２つの指示体７０、７０が操作されることで、表示領域６Ａの画像が拡大されている。また、下縁操作領域８１Ａ上の指示体７０と、下縁操作領域８１Ｂ上の指示体７０とを離すように操作が行われた場合に、表示領域６Ａの画像と表示領域６Ｂの画像の両方が拡大されている。
このように、プロジェクター１１は、操作領域に対する操作に応じて、予め割り当てられた機能を実行でき、マルチ画面表示時には操作領域を選択することで機能の実行対象の画像を指定できる。さらに、指示体７０による操作態様によって機能の実行に関する詳細なパラメーターを指定できる。
指示体７０の操作態様は、複数の指示体７０による上記操作に限定されず、例えば、複数回のタップ操作の組み合わせ等がある。また、マルチ画面表示を行っている際に、画像のズーム機能を実行し、表示領域６Ａの画像を拡大する操作を行うと、それに伴って、表示領域６Ｂの画像が縮小され、且つ、表示領域６Ａ、及び、表示領域６Ｂの其々対応する操作領域の範囲も画像のサイズに応じて変更される構成であっても良い。
【００３９】
図５は、スクリーンＳＣ上の操作領域の配置例、及び、操作領域に対する操作に対応して表示を制御する動作を説明する図であり、図５（Ａ）は横スクロール機能に関する例を示し、図５（Ｂ）は縦スクロール機能に関する例を示し、図５（Ｃ）はミュート機能に関する例を示し、図５（Ｄ）はネットワーク接続待機機能に関する例を示し、図５（Ｅ）は操作ロック／解除機能に関する例を示す。
図５（Ａ）及び図５（Ｂ）に示す例では、操作領域に対して表示領域６に表示中の画像のスクロール（表示移動）機能（表示領域６に表示中の画像の位置を移動させる機能）が割り当てられている。具体的には、下縁操作領域８１Ａ、８１Ｂに横スクロール機能が、側縁操作領域８２Ａ、８２Ｂに縦スクロール機能が対応付けられる。図５（Ａ）に示すように、下縁操作領域８１Ａ内でタッチ操作した指示体７０を左右に移動させる操作を行うことで、表示領域６Ａに表示された画像が指示体７０の移動に伴って左右に移動される。また、図５（Ｂ）に示すように、側縁操作領域８２Ｂ内でタッチ操作した指示体７０を上下に移動させる操作により、表示領域６Ｂに表示された画像が指示体７０の移動に伴って上下に移動される。なお、本実施形態では、縦方向の画像の移動と、横方向の画像の移動とが、異なる操作領域に割り当てられている構成としたが、これに限らず、１つの操作領域に縦方向、横方向、及び、斜め方向への画像の移動が割り当てられている構成であっても良い。
【００４０】
図５（Ｃ）に示す例では、操作領域に対してプロジェクター１１の表示画像を消すミュート機能が対応付けられる。具体的には、下隅操作領域８３Ａで指示体７０によるタッチ操作が行われると、投射部３０による画像光の投射が停止され、表示領域６Ａに表示中の画像が消される（表示が停止する）。この機能は、光変調装置３２の液晶パネルにおいて該当する領域の表示を全黒とする方法や、照明光学系３１が発する光を遮光する方法により実現される。なお、ミュート機能が実行された際には、表示領域に全黒を表示する他に、青画像を表示する、あるいは、ミュート状態である旨を示す画像を表示する構成とすることができる。
【００４１】
図５（Ｄ）に示す例では、操作領域に対してプロジェクター１１とＰＣ１３との間のネットワーク接続を待機状態とするネットワーク接続待機機能が対応付けられる。下隅操作領域８３Ａで指示体７０によるタッチ操作が行われると、表示領域６Ａに表示されている画像を供給するＰＣ１３との接続状態が、待機状態に切り替えられる。待機状態では、ＰＣ１３から画像が入力されないので、表示領域６Ａに画像が表示されない。このため、ＰＣ１３または他の画像供給装置との再接続を容易にするため、図５（Ｄ）のように、表示領域６Ａにネットワークの接続情報が含まれた２次元コードを表示してもよい。また、プロジェクター１１は、プロジェクター１１との接続に必要な具体的な接続情報（例えば、プロジェクターのＩＰアドレスやＳＳＩＤ等）を表示しても良い。さらに、プロジェクター１１が無線通信インターフェイスを介して、ネットワーク接続に必要な電波を送出してもよい。
【００４２】
図５（Ｅ）に示す例では、複数の操作領域を跨ぐ操作に対し、表示されている画像に対する操作をロックする操作ロック／解除機能が対応付けられる。具体的には、指示体７０が下隅操作領域８３Ａを通過するような操作に対し、表示領域６Ａの操作ロック機能が割り当てられ、下隅操作領域８３Ｂを通過するような操作に対して表示領域６Ｂの操作ロック機能が割り当てられている。指示体７０が側縁操作領域８２Ａから下隅操作領域８３Ａを通り、そのまま下縁操作領域８１Ａまで移動されると、表示領域６Ａに表示される画像に対する操作がロックされ、一時的に操作不可能となる。同様の操作が再度行われると、表示領域６Ａについて設定された操作のロックが解除され、操作可能となる。これらの操作は特徴的であるから、ユーザーが意図せず誤ってロック／ロック解除をしてしまうおそれがなく、操作性の向上と操作の確実性を両立できる。
このほか、例えば、上隅操作領域８５Ａをタッチし、続いて下隅操作領域８３Ａをタッチする操作に対し、入力映像を表示しないパスワードロック状態への移行および解除を割り当てることもできる。このパスワードロック状態はプロジェクター１１の盗難防止のために利用され、操作パネル４１やリモコンの操作により正規のパスワードを入力するか、上記操作を再度行うかのいずれかにより解除できる。
【００４３】
上述した例に限らず、プロジェクター１１は、位置検出ユニット１５０により検出された指示体７０の操作位置を示す情報をプロジェクター１１内部で処理し、操作位置の座標に基づく処理をプロジェクター１１が実行するＰＪインターラクティブモードと、位置検出ユニット１５０により検出された指示体７０の操作位置を示す情報を外部のＰＣ１３に出力し、ＰＣ１３に操作位置の座標に基づく処理を実行させるＰＣインターラクティブモードとが切替可能に構成され、ＰＪインターラクティブモードと、ＰＣインターラクティブモードとを、操作領域８０に対する操作で切り替えることができるモード切替機能を有していても良い。
また、操作領域８０の操作領域に対しては、表示領域６Ａ、６Ｂに表示している画像の静止、回転、プロジェクター１１の機能に関するメニュー画面のＯＳＤ表示／非表示等のプロジェクター１１の各種機能を割り当てることができる。また、各操作領域に対する操作態様を組み合わせて割り当てることにより、より複雑な操作に対する割り当てを行って誤操作を防止したり、実行する機能の内容に関する設定や指示を行えるようにしたり、多種多様な機能を割り当てたりすることが可能となるので、プロジェクター１１の操作性をより一層向上させることができる。なお、操作領域、操作領域において実行可能な機能、及び機能を実行するための操作のうち、少なくとも２つの関連付けは、メニュー画面上の操作によって可能である構成であっても良い。
【００４４】
また、プロジェクター１１は、指示位置７０Ａが表示可能領域５の外である場合、指示位置７０Ａの座標をＰＣ１３に出力できない。ＰＣ１３に対して出力される座標は、そのＰＣ１３が入力する画像データに対応する座標であり、表示領域６の外側は画像データの外となるからである。ここで、制御部１０３は、指示位置７０Ａが操作領域８０のいずれかにあたる位置であった場合に、この操作領域を示す制御データ、或いは、この操作領域に対応づけられたプロジェクター１１の機能を示す制御データを、ＰＣ１３に送信してもよい。この場合、指示位置７０Ａによる表示可能領域５の外に対する操作に応じて、ＰＣ１３に何らかの機能を実行させることが可能となる。
【００４５】
以上説明したように、本発明を適用した実施形態におけるプロジェクター１１は、スクリーンＳＣに画像を表示する投射ユニット３と、スクリーンＳＣにおける指示体７０の指示位置７０Ａを検出する位置検出ユニット１５０と、スクリーンＳＣにおける画像の表示領域６の外側に複数の操作領域８１Ａ、８１Ｂ、８２Ａ、８２Ｂ・・・が設定され、指示位置７０Ａが操作領域８１Ａ、８１Ｂ、８２Ａ、８２Ｂ・・・内である場合に、操作領域８１Ａ、８１Ｂ、８２Ａ、８２Ｂ・・・に対応付けられた操作に関する機能を実行する制御部１０３と、を備えているので、スクリーンＳＣ上で指示体７０による位置指示操作を行うことで、操作領域に対応するプロジェクター１１の機能を実行させることができる。これにより、ユーザーは、プロジェクター１１の操作パネル４１、或いは、プロジェクター１１のリモコンを操作することなく、プロジェクター１１の各種の機能を操作することができ、例えば指示体７０で描画等の操作を行っている場合に、リモコンに持ち替える動作等を行わずに、プロジェクター１１の各種機能を実行でき、操作性の向上を図ることができる。また、表示領域６の外側に操作領域８１Ａ、８１Ｂ、８２Ａ、８２Ｂ・・・を設定したため、操作切替用のアイコンやツールバーを表示領域６内に表示する必要がなく、入力映像がアイコン等によって遮られることがなく、描画範囲を広げることができる。
【００４６】
また、外部の装置を含む複数のＰＣ１３から供給された画像データを、投射ユニット３によりスクリーンＳＣに設けられた複数の表示領域６Ａ、６Ｂのそれぞれに表示させる画像処理ユニット１１０を備え、複数の操作領域８１Ａ、８１Ｂ、８２Ａ、８２Ｂ・・・は、各々の表示領域６Ａ、６Ｂに対応付けられている。この構成によれば、スクリーンＳＣに複数のＰＣ１３から供給された画像データに基づく画像を並べて表示するマルチ画面表示を行う場合に、表示される各々の画像に対してスクリーンＳＣの操作領域８１Ａ、８１Ｂ、８２Ａ、８２Ｂ・・・の操作が対応づけられるため、指示体７０の操作によりプロジェクター１１の機能を実行させ、実行対象の画像を指定できる。これにより、ユーザーは、プロジェクター１１の操作パネル４１やリモコンを操作することなく、指示体７０による操作でプロジェクター１１の各種機能を詳細に操作することができ、操作性のより一層の向上を図ることができる。
【００４７】
また、プロジェクター１１によれば、複数の操作領域８１Ａ、８１Ｂ、８２Ａ、８２Ｂ・・・に跨がる指示体７０の操作が検出された場合に、当該複数の操作領域８１Ａ、８１Ｂ、８２Ａ、８２Ｂ・・・にまたがる操作に対応付けられた機能を実行することができる。さらに、プロジェクター１１は、表示領域６Ａ、６Ｂを含む範囲を撮影する撮像部１５３を備え、位置検出ユニット１５０は、撮像部１５３の撮影画像に基づいて指示体７０の指示位置７０Ａを検出するので、操作領域８０を表示可能領域５の外側に設定できる。これにより、表示領域６Ａ、６Ｂを小さくすることなく、操作領域８０を設けることができ、画像の表示サイズに影響を与えることなく、操作性の向上を図ることができる。
【００４８】
また、プロジェクター１１は、位置検出ユニット１５０により、操作領域８０に対する操作が検出された場合に、表示領域６Ａ、６Ｂに表示された画像を供給するＰＣ１３を切り替えるソース切替機能、表示された画像を静止させるフリーズ機能、表示された画像を消去させるミュート機能、表示された画像を拡大または縮小させるズーム機能、表示領域６に表示されている画像の表示位置を変更する機能、および、位置検出ユニット１５０により検出された操作位置を示す情報をプロジェクター１１内部で処理するモードと当該情報を外部に出力するモードとを切り替える機能のうち、少なくともいずれかを実行するので、ユーザーは、プロジェクター１１の操作パネル４１、或いは、プロジェクター１１のリモコンを操作することなく、プロジェクター１１が有する種々の機能を操作することができる。
【００４９】
なお、上記実施形態は本発明を適用した具体的態様の例に過ぎず、本発明を限定するものではなく、上記実施形態とは異なる態様として本発明を適用することも可能である。例えば、指示体７０は、ペン型の操作デバイスである構成の他に、棒形状の操作デバイスであっても良く、位置検出処理部１５７は、棒形状の操作デバイスの先端がスクリーンＳＣに接触していることを検知して、位置指示操作のオン・オフを検知する構成であってもよい。また、指示体７０は、指やレーザーポインター等のポインターであってもよい。また、複数の指示体７０を備え、各々の指示体７０に異なる機能を割り当てて、同一の操作領域に対する同様の操作であっても、指示体７０によって異なる機能を操作することができる構成であってもよい。また、異種の指示体７０との組み合わせによって、同一の操作領域に対する同様の操作であっても、異なる機能を操作することができる構成であってもよい。
また、上記実施形態では、複数の操作領域の各々に異なる操作が対応付けられている構成としたが、これに限らず、１つの操作領域に複数の操作が割り当てられ、各操作が識別可能に構成されていてもよい。
【００５０】
また、上記実施形態では、表示領域６Ｂ等に表示されている画像を他の画像に切り替える切替機能の一例として、プロジェクター１１に画像データを供給する画像供給装置を切替えるソース切り替え機能を例示して説明したが、画像の切替機能はこれに限られない。例えば、プロジェクター１１に画像データを供給する画像供給装置は切替えることなく、その画像供給装置がプロジェクター１１に対して供給する画像データを変更させることによって、画像の切替機能を実現しても良い。
【００５１】
また、上記実施形態の構成において、位置検出ユニット１５０が有する撮像部１５３及び撮影制御部１５５を、プロジェクター１１に外部接続されたデジタルカメラにより代替することも可能である。この場合のデジタルカメラは、制御部１０３の制御により撮影を実行して撮影画像データを位置検出処理部１５７に出力するものであればよい。また、このデジタルカメラとプロジェクター１１とを接続するインターフェイスとしてはＵＳＢ等の汎用インターフェイスを利用できるので、容易に実現可能である。
また、撮像部１５３は、非可視光（赤外光など）を撮像可能な構成であっても良く、非可視光を撮像可能な場合には、指示体７０が非可視光を射出して、撮像部１５３が指示体７０から射出された非可視光を撮像する構成や、指示体７０が非可視光を反射可能な反射部を備えており、制御部１０３の制御によってプロジェクター１１からスクリーンＳＣに対して非可視光を投射し、指示体７０の反射部によって反射された非可視光を撮像部１５３によって撮像する構成等を採用することができる。
【００５２】
また、上記実施形態では、光源が発した光を変調する手段として、光変調装置３２がＲＧＢの各色に対応した３枚の透過型の液晶パネルを用いた構成を例に挙げて説明したが、本発明はこれに限定されるものではなく、例えば、反射型の液晶パネルを用いてもよいし、デジタルミラーデバイス（ＤＭＤ）を用いた方式、デジタルミラーデバイスとカラーホイールを組み合わせた方式等により構成してもよい。ここで、表示部として１枚の液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。さらに、スクリーンＳＣの背面側から画像光を投射する背面投射型のプロジェクターとしてもよい。
【００５３】
また、本発明の表示装置は、スクリーンＳＣに画像を投射するプロジェクターに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当し、その表示画面が表示面に相当する。
さらに、上記実施形態の構成では、位置検出ユニット１５０が撮影画像データに基づいて指示体７０による指示位置７０Ａを検出する構成を例に挙げて説明したが、本発明はこれに限定されず、例えば、表示面としてのスクリーンＳＣ或いは他の表示方式における表示画面に、感圧式や静電容量式のタッチパネルを設け、このタッチパネルによって指示体７０としてのユーザーの指や棒体等の接触を検出する構成としてもよい。また、指示体が発する赤外線信号を検出して指示位置を特定する方法や、スクリーンＳＣ上に設けられた複数の装置により指示体までの距離を検出することで、指示位置を特定する方法を採用してもよい。
【００５４】
また、図２に示した表示システム１０の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１１及びＰＣ１３を含む表示システム１０の他の各部の具体的な細部構成についても、本発明の趣旨を逸脱しない範囲で任意に変更可能である。
また、上記実施形態において記憶部１０５が記憶していた制御プログラム１０５Ａを、プロジェクター１１が通信ネットワークを介して接続された他の装置からダウンロードして実行してもよいし、可搬型の記録媒体に制御プログラム１０５Ａを記録して、この記録媒体から上記各プログラムを読み取って実行する構成としてもよい。
【符号の説明】
【００５５】
３…投射ユニット（表示手段）、５…表示可能領域、６、６Ａ、６Ｂ…表示領域、７…撮像領域、１０…表示システム、１１…プロジェクター、３０…投射部、３１…照明光学系、３２…光変調装置、３３…投射光学系、７０…指示体、７０Ａ…指示位置、７２…操作スイッチ、８０、８１Ａ、８１Ｂ、８２Ａ、８２Ｂ、８３Ａ、８３Ｂ、８４Ａ、８４Ｂ、８５Ａ、８５Ｂ…操作領域、１０３…制御部（制御手段）、１０３Ｂ…位置情報判断部、１１０…画像処理ユニット（表示制御手段）、１５０…位置検出ユニット（検出手段）、１５１…位置検出部、１５３…撮像部、１５７…位置検出処理部、ＳＣ…スクリーン
【図１】
2014120022.tif 000003
【図２】
2014120022.tif 000004
【図３】
2014120022.tif 000005
【図４】
2014120022.tif 000006
【図５】
2014120022.tif 000007